(57)【要約】      （修正有）【課題】  通行規制、工事現場の立入り禁止、道路の車線規制場所等に、複数の標識部を容易に設置できる標識具を得る。【解決手段】  長方形の支持部２と、該支持部の長手方向に一定間隔で設けられた複数個の標識部３からなり、前記標識部を、外力を受けるとその外力に従って変形し、外力が無くなると原状復帰するよう構成し、長方形の支持部を、２重以上に折りたたみ可能に構成し、更に標識部が支持部同士で挟まれた内部に折り畳まれるよう構成、又は長方形の支持部を、弾性体で構成して標識部を内側にして巻き取り可能に構成することにより、支持部を開放すると標識部が原状復帰して標識具の設置を容易にしている。【選択図】    図１
2005009289.tif 000002
【特許請求の範囲】
【請求項１】
長方形の支持部と、該支持部の長手方向に一定間隔で設けられた複数個の標識部からなり、前記標識部が外力を受けるとその外力に従って変形し、外力が無くなると原状復帰するよう構成されていることを特徴とする標識具。
【請求項２】
長方形の支持部を横方向に折り曲げ可能に構成したことを特徴とする請求項１に記載する標識具。
【請求項３】
長方形の支持部が２重以上に折りたたみ可能に構成され、更に標識部が支持部同士で挟まれた内部に折り畳まれるよう構成されていることを特徴とする請求項１又は請求項２に記載する標識具。
【請求項４】
長方形の支持部が弾性体で構成されて標識部を内側にして巻き取り可能に構成されていることを特徴とする請求項１又は請求項２に記載する標識具。
【請求項５】
長方形の支持部の適所に少なくとも１個以上の穴とフックを設け、該フックを支持部に設けた穴に挿入することにより、折りたたんだ支持部または巻き取った支持部が開放されないように構成したことを特徴とする請求項３又は請求項４に記載する標識具。
【発明の詳細な説明】
【技術分野】
【０００１】
本発明は、通行規制、工事現場の立入り禁止、道路の車線規制等のために所要間隔を有して設置される標識具に関する。
【背景技術】
【０００２】
従来、通行規制や工事現場の立入り禁止のために設置する標識は、コーン型で、硬質の合成樹脂材で形成され、ベース部とこれに連接する円錐状部とから構成されており、一般に交通コーンと称されている。一般の交通コーンは折り畳み不可能で、多数の交通コーンを運搬する場合には、コーン部が重なるように積重ねて車両により現地に運搬し、作業員が所定位置に標識を設置する。このような設置作業においては、重ねて置いてある交通コーンを一個一個取り外し、設置線からずれないよう一直線に、一定間隔で一個一個並べなければならず、多くの手間を要していた。
【０００３】
従来、このような欠点を解消するため、車両に搭載し、コーン型道路標識体を一定間隔毎に自動的に設置するような装置が提案されている（特許文献1参照）。
【０００４】
しかしながら、このような装置は大掛かりな装置であって、高速道路等に短時間で標識を設置するには有効であるが、狭い街中の道路現場に標識を設置するような場合には不向きである。又、高価格であるという不具合もある。
【特許文献１】特開平０５−３３１８１４号公報
【発明の開示】
【発明が解決しようとする課題】
【０００５】
本発明は以上のような従来の欠点や不具合に鑑み、複数の標識部を容易に設置することが可能で安価な標識具を得ることを目的とする。
【課題を解決するための手段】
【０００６】
本発明の標識具１は、長方形の支持部と、該支持部の長手方向に一定間隔で設けられた複数個の標識部からなり、前記標識部が外力を受けるとその外力に従って変形し、外力が無くなると原状復帰するよう構成されており、従って本発明の標識具１は、走行車両に接触した場合、柔軟に変形し、外力が無くなれば容易に原状復帰するため、破損しにくいという効果を有している。
【０００７】
本発明の標識具１が、長方形の支持部を横方向に折り曲げ可能に構成していれば、標識具１を例えば曲線的に設置することが出来る。
【０００８】
本発明の標識具１が、長方形の支持部が2重以上に折りたたみ可能に構成され、更に標識部が支持部同士で挟まれた内部に折り畳まれるよう構成され、又は長方形の支持部が弾性体で構成されて標識部を内側にして巻き取り可能に構成されていれば、本発明の標識具１は、折り畳まれたまたは巻き取られた支持部２を開放すると、一定間隔で設けられた複数個の標識部３が一度に原状復帰することにより容易に設置可能である。
【０００９】
本発明の標識具１を、長方形の支持部の適所に少なくとも１個以上の穴とフックを設け、該フックを支持部に設けた穴に挿入することにより、折りたたんだ支持部または巻き取った支持部が開放されないように構成すれば、その取扱いがさらに容易になる。
【発明の効果】
【００１０】
本発明によれば、複数の標識部を折り畳んで又は巻き取って運搬でき、作業現場では、フックを穴から外すだけで、標識部が原状復帰することにより複数個の標識部を容易に設置できる。又、車両に接触されても、柔軟に変形し、外力が無くなれば元の状態に原状復帰するため、破損しにくいという効果を有する。
【発明を実施するための最良の形態】
【００１１】
図１及び図２は、本発明の一実施例を示す標識具１の正面図である。本実施例では、２枚の支持部２が連結部４で折り畳み可能に連結され、該支持部２の上方に複数個の標識部３が設けられている。図２に示すように、該標識部３が内側になるように支持部２を連結部４で折り畳むことができるよう、標識部３は原状復帰可能な弾性体等で製作されている。支持部２の一端にはフック５が設けられ、他の支持部２の一端には穴６が設けられており、支持部２を連結部４で折り畳んだ際、フック５を穴６に係合することにより、標識具１が開放しないよう構成されている。
【００１２】
折り畳んだ状態で標識具１を運搬し、作業現場で標識具１を設置するときは、フック５を穴６から抜き取れば、支持部２は開放され、標識部３は自動的に原状復帰し、容易に設置することができる。標識部３が自動的に原状復帰するためには、標識部３の根本を大きくし先端を細くするとか、根本を剛性が強い材質とし、先端になるほど剛性の弱い材質とする等、種々考慮することができる。
【００１３】
図３及び図４は、本発明の他の実施例を示す標識具１の正面図である。本実施例では、4枚の支持部２が連結部４ａで標識部３が内側になるよう折り畳み、連結部４ｂで支持部２を更に折り畳むよう構成されている。支持部２の一端にはそれぞれフック５が設けられ、支持部２の他端には穴６が設けられており、支持部２を折り畳んだときフック５を穴６に係合させる。作業現場に標識具１を設置するにはフック５を穴６から抜き取るだけで、支持部２は標識部３の復元力で開放され、標識部３は自動的に原状復帰し、標識具１を容易に設置することができる。なお、この実施例では、標識部３の一例として、スプリングの先端に旗を取付けた構造を示している。
【００１４】
なお、以上の実施例からみて、図５に示す、支持部２が６枚で連結部４ａが３箇所、連結部４ｂが２箇所ある例等、いくらでも支持部２を増やしていけることは言うまでもない。
【００１５】
図６および図７は本発明の更に他の実施例を示す標識具１の正面図である。本実施例では支持部２を１枚の弾性体で構成することにより、標識部３を内部に巻き取り可能に構成している。支持部２の一端にフック５が設けられ、且つ、支持部２の長手方向に少なくとも1個以上の穴６が設けられており、支持部２を巻き取った際、支持部２が開放しないようフック５を穴６に係合する。作業現場で標識具１を設置するときは、フック５を穴６から抜き取るだけで、支持部２は開放され、標識部３は原状復帰し、容易に設置することができる。なお、この実施例では、標識部３の形状として、コーン形状を示している。
【００１６】
図８および図９は本発明の更に他の実施例を示す標識具１の正面図である。本実施例では、支持部２を所定の長さに分割し、この分割した同士を例えばピン等により回動自在に連結することにより隣り合う支持部同士を横方向に折り曲げることが出来るようにして、標識具１を例えば曲線的に設置できるようにしたものである。この実施例では、各支持部同士が横方向に回動自在であるので、リールで巻取り格納するようにするのがその取扱いが容易になり望ましい。なお、この実施例では、標識部３の一例として、円錐コイルバネに布等を被せてコーン形状とした例を示している。
【００１７】
図１０又は図１１に示すように、支持部２の所定個所を、蛇腹構造又はくびれ構造にすることにより、支持部２が横方向への折り曲げに対応でき、この場合も標識具１をカーブに沿って設置することが出来る。
【００１８】
ところで、標識部３は原状復帰可能な部材で構成する必要があるが、ゴム等の弾性体を使用することもでき、又スプリング等を使用することも可能である。更に、標識部３が見えやすいように、標識部３の先端に反射板を取り付けたり、標識部３全体または先端に夜光塗料を塗ることができることは言うまでもない。
【図面の簡単な説明】
【００１９】
【図１】本発明の一実施例で、２枚の支持部２が連結部４で折り畳みできるよう構成された標識具１の正面図である。
【図２】２枚の支持部２が連結部４で折り畳まれた状態を示す標識具１の正面図である。
【図３】本発明の他の一実施例で、４枚の支持部２が連結部４ａおよび４ｂで折り畳みできるよう構成された標識具１の正面図である。
【図４】４枚の支持部２が連結部４ａおよび４ｂで折り畳まれた状態を示す標識具１の正面図である。
【図５】支持部２の数を更に増やしていけることを説明する標識具１の正面図である。
【図６】本発明の更に他の一実施例で、１枚の弾性体からなる支持部２で標識部３を巻き取り可能に構成された標識具１の説明図である。
【図７】１枚の弾性体からなる支持部で標識部３を巻き取った状態を示す標識具１の正面図である。
【図８】本発明の更に他の一実施例で、横方向に折り曲げ可能に構成した標識具１の正面図である。
【図９】図８に示す支持部２の一例である。
【図１０】本発明の更に他の一実施例で、横方向に折り曲げ可能に構成した標識具１の正面図である。
【図１１】本発明の更に他の一実施例で、横方向に折り曲げ可能に構成した標識具１の正面図である。
【符号の説明】
【００２０】
１  標識具
２  支持部
３  標識部
４  連結部
４a連結部
４b連結部
５  フック
６  穴６
７  蛇腹
８  くびれ
【図１】
2005009289.tif 000003
【図２】
2005009289.tif 000004
【図３】
2005009289.tif 000005
【図４】
2005009289.tif 000006
【図５】
2005009289.tif 000007
【図６】
2005009289.tif 000008
【図７】
2005009289.tif 000009
【図８】
2005009289.tif 000010
【図９】
2005009289.tif 000011
【図１０】
2005009289.tif 000012
【図１１】
2005009289.tif 000013